(57)【特許請求の範囲】
【請求項１】
無線通信デバイスと第１のアクセス・ネットワークとの間でデータ接続性を確立する方法であって、この方法は、前記無線通信デバイスにおいて、
少なくとも第１のアクセス・ネットワークに関連した情報を受信することを含み、この情報は少なくとも第１のアクセス・ネットワークの接続形式を含み、その接続形式は、第１のアクセス・ネットワークが第２のアクセス・ネットワークへの接続を確立して、全てのデータ・トラヒックを前記無線通信デバイスから第２のアクセス・ネットワークへトンネルさせるように構成されているときの第１の接続形式と、第１のアクセス・ネットワークが第２のアクセス・ネットワークへの接続を確立せず、サービスへの直接アクセスを与えるように構成されているときの第２の接続形式とのうちの一方を含み、
第１のアクセス・ネットワークとのデータ接続性を確立するための要請を受信することと、
前記受信した情報に基づいて第１のアクセス・ネットワークの接続形式を判定することと、
第１のアクセス・ネットワークが第１の接続形式を支持するように構成されているとの判定に応じて、第１のアクセス・ネットワークへ接続して、第１と第２とのアクセス・ネットワークの間の接続を確立するのに用いられ、かつ接続形式を表わすパラメータと異なる接続性パラメータを第１のアクセス・ネットワークに対して提供することとを含み、
第１のアクセス・ネットワークが第２の接続形式を支持するように構成されているとの判定に応じて、第１のアクセス・ネットワークへ接続して、サービスへの直接アクセスを与える前記第２の接続形式に従って構成されることと、
第１のアクセス・ネットワークが第１又は第２の接続形式を支持するように構成されているときに第１のアクセス・ネットワークへの接続の後に、第１のアクセス・ネットワークが支持するように構成されている現在の接続形式を示す通知を前記無線通信デバイスへ与えることとを含む、方法。
【請求項２】
第１のアクセス・ネットワークが第２の接続形式を支持するように構成されているとの判定に応じて、第１のアクセス・ネットワークへ接続して、第１と第２とのアクセス・ネットワークの間の接続を確立するのに用いられる接続性パラメータを提供しない、請求項１に記載の方法。
【請求項３】
第１のアクセス・ネットワークが第１の接続形式を支持するように構成されているとき、第１のアクセス・ネットワークへの接続の後、前記方法は更に、
第１のアクセス・ネットワークにより与えられた局所的サービスへのアクセスを無効にするように前記無線通信デバイスを更新すること、
第２のアクセス・ネットワークにより与えられたサービスを有効にすること、及び、
第２アクセス・ネットワークによりアクセス可能なサービスを有効にすることのうち、少なくとも一つを含む、請求項１に記載の方法。
【請求項４】
情報を受信することは、前記無線通信デバイスのために好ましいアクセス・ネットワークに関連した情報を受信することを含み、その好ましいアクセス・ネットワークは第１のアクセス・ネットワークを含み、前記情報は、前記好ましいアクセス・ネットワークの各々の識別と、少なくとも第１のアクセス・ネットワークの前記接続形式とを含む、請求項１に記載の方法。
【請求項５】
情報を受信することは、ＡＮＤＳＦ要素からの第１のアクセス・ネットワークの前記接続形式を含む情報を受信することを含む、請求項４に記載の方法。
【請求項６】
情報を受信することは、第１のアクセス・ネットワークの能力を発見するために開始された発見手順の間に、少なくとも第２のアクセス・ネットワークとの第１のアクセス・ネットワークの前記接続形式を含む第１のアクセス・ネットワークに関連した情報を受信することを含む、請求項１に記載の方法。
【請求項７】
前記発見手順はＩＥＥＥ  ８０２．１１ｕとＲＦＣ４２８４との一方によって規定された発見手順である、請求項６に記載の方法。
【請求項８】
情報を受信することは、第１のアクセス・ネットワークへのアクセスのために前記無線通信デバイスを認証及び認可するための認証手続きの間の第１のアクセス・ネットワークの接続形式を含む情報を受信することを含む、請求項１に記載の方法。
【請求項９】
前記認証手続きはＥＡＰ型認証手続きである、請求項８に記載の方法。
【請求項１０】
第１のアクセス・ネットワークとのデータ接続性を確立することができる無線通信デバイスであって、
無線通信を与えるための通信区画と、
前記通信区画へ接続された処理ユニットとを備え、
前記無線通信デバイスは、
少なくとも第１のアクセス・ネットワークに関連した情報を受信するように構成されており、この情報は少なくとも第１のアクセス・ネットワークの接続形式を含み、この接続形式は、第１のアクセス・ネットワークが第２のアクセス・ネットワークへの接続を確立して、全てのデータ・トラヒックを前記無線通信デバイスから第２のアクセス・ネットワークへトンネルするように構成されているときの第１の接続形式と、第１のアクセス・ネットワークが第２のアクセス・ネットワークへの接続を確立せず、サービスへの直接アクセスを与えるように構成されているときの第２の接続形式とのうちの一方を含み、
前記処理ユニットは、
第１のアクセス・ネットワークとのデータ接続性を確立するための要請を受信し、
前記受信した情報に基づいて第１のアクセス・ネットワークの接続形式を判定し、
第１のアクセス・ネットワークが第１の接続形式を支持するように構成されているとの判定に応じて、第１のアクセス・ネットワークへ接続して、第１と第２とのアクセス・ネットワークの間の接続を確立するのに用いられかつ接続形式を表わすパラメータと異なる接続性パラメータを第１のアクセス・ネットワークに対して提供するように構成されており、
第１のアクセス・ネットワークが第２の接続形式を支持するように構成されているとの判定に応じて、第１のアクセス・ネットワークへ接続して、サービスへの直接アクセスを与える前記第２の接続形式に従って前記無線通信デバイスを構成し、
第１のアクセス・ネットワークが第１又は第２の接続形式を支持するように構成されているときに第１のアクセス・ネットワークへの接続の後に、第１のアクセス・ネットワークが支持するように構成されている現在の接続形式を示す通知を前記無線通信デバイスへ与えるように構成されている、無線通信デバイス。
【請求項１１】
前記処理ユニットは更に、第１のアクセス・ネットワークが第２の接続形式を支持するように構成されているとの判定に応じて、第１のアクセス・ネットワークに接続して、第１と第２とのアクセス・ネットワークの間の接続を確立するのに用いられる接続性パラメータを提供しないように構成されている、請求項１０に記載の無線通信デバイス。
【請求項１２】
第１のアクセス・ネットワークが第１の接続形式を支持するように構成されているとき、第１のアクセス・ネットワークへの接続の後、前記処理ユニットは更に、
第１のアクセス・ネットワークにより与えられた局所的サービスへのアクセスを無効にするように前記無線通信デバイスを更新すること、
第２のアクセス・ネットワークにより与えられたサービスを有効にすること、及び、
第２アクセス・ネットワークによりアクセス可能なサービスを有効にすることのうち、少なくとも一つをなすように構成されている、請求項１０に記載の無線通信デバイス。
【請求項１３】
受信された情報は、前記無線通信デバイスのために好ましいアクセス・ネットワークに関連した情報を含み、その好ましいアクセス・ネットワークは第１のアクセス・ネットワークを含み、前記情報は、前記好ましいアクセス・ネットワークの各々の識別と、少なくとも第１のアクセス・ネットワークの前記接続形式とを含む、請求項１０に記載の無線通信デバイス。
【請求項１４】
前記受信された情報は、ＡＮＤＳＦ要素から受信されている、請求項１３に記載の無線通信デバイス。
【請求項１５】
前記処理ユニットは更に、第１のアクセス・ネットワークの能力を発見するために発見手順を開始するように構成され、受信された情報は、前記発見手順の一部として受信された第１のアクセス・ネットワークに関連した情報を含み、前記受信した情報は、少なくとも第２のアクセス・ネットワークとの第１のアクセス・ネットワークの前記接続形式を含む第１のアクセス・ネットワークに関連した情報を含む、請求項１０に記載の無線通信デバイス。
【請求項１６】
前記発見手順はＩＥＥＥ  ８０２．１１ｕとＲＦＣ４２８４との一方によって規定された発見手順である、請求項１５に記載の無線通信デバイス。
【請求項１７】
前記処理ユニットは更に、第１のアクセス・ネットワークへのアクセスのために前記無線通信デバイスを認証及び認可するための認証手続きを引き起こすように構成され、受信された情報は、第１のアクセス・ネットワークの接続形式を含み、かつ、前記認証手続きの一部として受信されている、請求項１０に記載の無線通信デバイス。
【請求項１８】
前記認証手続きはＥＡＰ型認証手続きである、請求項１７に記載の無線通信デバイス。
【請求項１９】
通信システムであって、
第２のアクセス・ネットワークへ通信可能に結合された第１のアクセス・ネットワークと、第１のアクセス・ネットワークとのデータ接続性を確立することができる無線通信デバイスとを備え、前記無線通信デバイスは、
無線通信を与えるための通信区画と、
前記通信区画へ接続された処理ユニットとを含み、
前記無線通信デバイスは、
少なくとも第１のアクセス・ネットワークに関連した情報を受信するように構成されており、この情報は少なくとも第１のアクセス・ネットワークの接続形式を含み、この接続形式は、第１のアクセス・ネットワークが第２のアクセス・ネットワークへの接続を確立して、全てのデータ・トラヒックを前記無線通信デバイスから第２のアクセス・ネットワークへトンネルするように構成されているときの第１の接続形式と、第１のアクセス・ネットワークが第２のアクセス・ネットワークへの接続を確立せず、サービスへの直接アクセスを与えるように構成されているときの第２の接続形式とのうちの一方を含み、
前記処理ユニットは、
第１のアクセス・ネットワークとのデータ接続性を確立するための要請を受信し、
前記受信した情報に基づいて第１のアクセス・ネットワークの接続形式を判定し、
第１のアクセス・ネットワークが第１の接続形式を支持するように構成されているとの判定に応じて、第１のアクセス・ネットワークへ接続して、第１と第２とのアクセス・ネットワークの間の接続を確立するのに用いられ、かつ接続形式を表わすパラメータと異なる接続性パラメータを第１のアクセス・ネットワークに対して提供するように構成されており、
第１のアクセス・ネットワークが第２の接続形式を支持するように構成されているとの判定に応じて、第１のアクセス・ネットワークへ接続して、サービスへの直接アクセスを与える前記第２の接続形式に従って前記無線通信デバイスを構成し、及び、
第１のアクセス・ネットワークが第１又は第２の接続形式を支持するように構成されているとき、第１のアクセス・ネットワークへの接続の後に、第１のアクセス・ネットワークが支持するように構成されている現在の接続形式を示す通知を前記無線通信デバイスへ与えるように構成されている、通信システム。
【発明の詳細な説明】
【発明の詳細な説明】
【０００１】
関連出願の相互参照
【０００２】
この出願は、係属中で共有に係る米国特許出願第１３／２９３３７４号（発明の名称「ＩＰアクセス上の無線通信デバイスとコア・ネットワークとの間のデータ接続性を確立する方法、無線通信デバイス及び通信システム」（“ＭＥＴＨＯＤ  ＦＯＲ  ＥＳＴＡＢＬＩＳＨＩＮＧ  ＤＡＴＡ  ＣＯＮＮＥＣＴＩＶＩＴＹ  ＢＥＴＷＥＥＮ  Ａ  ＷＩＲＥＬＥＳＳ  ＣＯＭＭＵＮＩＣＡＴＩＯＮ  ＤＥＶＩＣＥ  ＡＮＤ  Ａ  ＣＯＲＥ  ＮＥＴＷＯＲＫ  ＯＶＥＲ  ＡＮ  ＩＰ  ＡＣＣＥＳＳ  ＮＥＴＷＯＲＫ，ＷＩＲＥＬＥＳＳ  ＣＯＭＭＵＮＩＣＡＴＩＯＮ  ＤＥＶＩＣＥ  ＡＮＤ  ＣＯＭＭＵＮＩＣＡＴＩＯＮ  ＳＹＳＴＥＭ”）、出願日２０１１年１１月１１日）に関係している。
開示事項の分野
【０００３】
本開示事項は一般に無線通信に関し、更に詳しくは、無線通信デバイスとアクセス・ネットワークとの間の接続性を確立することに関する。
開示事項の背景
【０００４】
ロング・ターム・エボルーション（ＬＴＥ）通信規格は、第３世代パートナーシップ・プロジェクト（３ＧＰＰ）により開発され、最大限の移動性を有する向上したエンド・ユーザー経験を与える。ＬＴＥは、ＩＰに基づくトラヒックを支持して、次世代（Ｅｖｏｌｖｅｄ）パケット・コア（ＥＰＣ）ネットワークと、次世代ＵＭＴＳ地上波無線アクセス・ネットワーク（Ｅ−ＵＴＲＡＮ）と称される無線アクセス・ネットワークとを介して、データ接続性をユーザーへ提供する。
【０００５】
３ＧＰＰ技術仕様ＴＳ  ２３．４０２（Ｖｌｌ．１．０）は、非３ＧＰＰアクセス、例えばＷＬＡＮ、ＷｉＭＡＸなどを用いることにより、ＥＰＣと無線通信デバイス（一般にユーザー機器又はＵＥと称される）との間の接続性を提供するためのステージ２技術仕様を規定する。２０１１年１２月のＴＳ  ２３．４０２のリリース  １１は、“３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ；Ａｒｃｈｉｔｅｃｔｕｒｅ  ｅｎｈａｎｃｅｍｅｎｔｓ  ｆｏｒ  ｎｏｎ−３ＧＰＰ  ａｃｃｅｓｓｅｓ”と題されている。３ＧＰＰ  ＴＳ２３．４０２は、ＡＮＤＳＦ（Ａｃｃｅｓｓ  Ｎｅｔｗｏｒｋ  Ｄｉｓｃｏｖｅｒｙ＆Ｓｅｌｅｃｔｉｏｎ）と称される指針基礎を規定し、これは、何れのアクセス・ネットワークがアクセス選択及び経路目的について最も高い優先度を有するかを複数のＵＥへ知らせるために、複数のＵＥへアクセス及び経路選択指針を与える。ＡＮＤＳＦが複数のＵＥへ提供することができる指針の形式は、以下に説明する。この説明は、ＴＳ  ２３．４０２の条項４．８における現在のテキストに基づいている。
【０００６】
Ｉｎｔｅｒ−Ｓｙｓｔｅｍ  Ｍｏｂｉｌｉｔｙ  Ｐｏｌｉｃｙ（ＩＳＭＰ）は、データ通信のために一つの無線アクセス技術だけを使用することができるＵＥによって適用される。例えば、ＵＥは、３ＧＰＰ無線アクセス技術又はＷＬＡＮ無線アクセス技術の何れかを使用することができるが、その両方を同時に使用することはできない。ＩＳＭＰは、ＥＰＣへアクセスするために何れの無線アクセス技術が携帯電話事業者によって選ばれるかを示す。例示的なＩＳＭＰは、「ＷＬＡＮアクセスは、午前８時から午後５時まで選ばれる」、又は、「ＵＥがない場所領域Ｙの内側にあるとき、ＳＳＩＤ＝ｘを有するＷＬＡＮが選ばれる」ことを示すことがある。ＩＳＭＰには、何時／何処でこの指針が有効であるかを示す特定の状況を有することができることに留意されたい。上述の第１の例においては、ＩＳＭＰは午前８時と午後５時との間で有効である。ＵＥが、ＥＰＣへのアクセスがＷＬＡＮ上で選ばれることを示す有効なＩＳＭＰがあると判定するとき、ＵＥは、利用可能なＷＬＡＮ（有効ＩＳＭＰについて、任意のＳＳＩＤへ至る、又は、特定のＳＳＩＤへ至る）を発見して接続せねばならず、次いで、ＷＬＡＮ上でＥＰＣ取り付け手順を実行する。次いで、ＵＥは、好ましい無線アクセス・ネットワーク（この例ではＷＬＡＮ）上でＥＰＣに接続（取り付け）される。このＥＰＣ取り付け手順は、ＩＳＭＰ指針がＥＰＣへ取り付けるための好ましい無線アクセス技術を示すので、必要とされる。
【０００７】
ＴＳ  ２３．４０２はＵＥをＥＰＣへ取り付けるための幾つかの方法を規定しており、例えば所謂Ｓ２ｂインターフェース上の取り付け（第７．２節）、又は所謂Ｓ２ｃインターフェース上の取り付け（第７．３節）等である。しかしながら、ＷＬＡＮ上でＵＥをＥＰＣへ取り付けることにより用いられる特定の方法は、本開示事項の範囲外である。
【０００８】
Ｉｎｔｅｒ−Ｓｙｓｔｅｍ  Ｒｏｕｔｉｎｇ  Ｐｏｌｉｃｙ（ＩＳＲＰ）は、複数の無線アクセス技術上の複数の同時データ接続を有する（又は確立できる）複数のＵＥにより適用され、例えば、３ＧＰＰ無線アクセス技術上の一つのデータ接続及びＷＬＡＮ無線アクセス技術上の他のデータ接続を有する複数のＵＥである。この場合には、ＩＳＲＰは、どのようにＵＥの出トラヒックが複数の利用可能なデータ接続に亘って経路を定めなければならないかを示す。ＩＳＲＰ指針によれば、携帯電話事業者は、（ａ）ユーザー経験が改善され、及び、（ｂ）３ＧＰＰ無線アクセス・ネットワークが、ＷＬＡＮアクセスを使用できるトラヒックから解法されるという方式で、ＵＥの経路挙動に影響を及ぼすことができる。
【０００９】
以下のように、ＴＳ  ２３．４０２の第４．８節に規定された３種類のＩＳＲＰ指針がある。
【００１０】
ＭＡＰＣＯＮ（マルチ・アクセス・パケット・データ・ネットワーク（ＰＤＮ）接続性）のためのＩＳＲＰ：これらの指針は、ＵＥが特定のアクセス・ポイント名（ＡＰＮ）へのＰＤＮ接続を確立しようとするとき、何れの無線アクセス技術を使用せねばならないかを示す。例えば、ＭＡＰＣＯＮのためのＩＳＲＰは、「ＡＰＮ＝ｉｎｔｅｒｎｅｔ．ｅｘａｍｐｌｅ．ｃｏｍへのＰＤＮ接続は、ＷＬＡＮアクセス上で確立されなければならない」、又は、「ＡＰＮ＝ｉｍｓへのＰＤＮ接続は、３ＧＰＰアクセス上で確立されねばない」ことを示し得る。
好ましい無線アクセス・ネットワーク（ＭＡＰＣＯＮのためのＩＳＲＰに従って）上でＰＤＮ接続を確立する後、ＵＥは、この無線アクセス・ネットワーク上のこのＰＤＮ接続に関係している全てのトラヒックの経路を定める。特定のＰＤＮ接続に関連するトラヒックは、特定のアプリケーションによりもたらされる全てのトラヒックであり得る。したがって、例えば、ＵＥはＷＬＡＮ上で特定のＡＰＮへのＰＤＮ接続に関連する全てのトラヒックの経路を定めることがあり、かつ、３ＧＰＰ無線アクセス・ネットワーク上の他の全てのトラヒックの経路を定めることがある。
【００１１】
ＩＦＯＭ（ＩＰ  Ｆｌｏｗ  Ｍｏｂｉｌｉｔｙ）のためのＩＳＲＰ：これらの指針は、何れの無線アクセス技術を特定のフィルタに遭遇するトラヒックのために使用せねばならないかを示す。例えば、ＩＦＯＭのためのＩＳＲＰは、「送信先ｘ．ｙ．ｚ．ｗへのトラヒックは、ＷＬＡＮアクセスを経由せねばならない」、又は、「送信先ポート５０６０へのＵＤＰトラヒックは、３ＧＰＰアクセスを経由せねばならない」、又は、「アプリケーションＺからのトラヒックは、午後５時から午前１２時までＷＬＡＮ  ＳＳＩＤ＝Ｙを経由せねばならない」ことを示し得る。ＵＥが、或るトラヒックが好ましくはＷＬＡＮ上で経路を定められることを示すＩＦＯＭのための有効なＩＳＲＰがあると判定するとき、ＵＥは利用可能なＷＬＡＮ（既に接続されていないならば）を発見して接続し、ＥＰＣ取り付け手順（既に取り付けられていないならば）を実行し、次いで、このＷＬＡＮ上の指示されたトラヒックの経路を定めねばならない。次いで、ＵＥは、ＷＬＡＮアクセスと３ＧＰＰアクセスとの両方でＥＰＣに接続され（取り付けられ）、ＩＦＯＭのための有効なＩＳＲＰに基づいて好ましいアクセスへの出トラヒックの経路を定める。
【００１２】
ＮＳＷＯ（非シームレスＷＬＡＮオフロード）のためのＩＳＲＰ：これらの指針は、何れのトラヒックが、ＥＰＣを経由することなく、ＷＬＡＮ無線技術へ直接に経路を定められねばならないかを示す。例えば、ＮＳＷＯのためのＩＳＲＰは、「ポート８０へのＨＴＴＰトラヒックは、非シームレス／オフロードを有するＷＬＡＮアクセス（任意のＳＳＩＤ）を使用せねばならない」ことを示し得る。非シームレスＷＬＡＮオフロードを使用しているトラヒックとは、ＥＰＣを迂回して、ＷＬＡＮネットワークによって直接に経路を定められるトラヒックを意味する。そのようなトラヒックのために、ＵＥはＥＰＣに取り付ける必要は無いか、又はＥＰＣへのＰＤＮ接続を確立する必要は無い（前の２つのＩＳＲＰ指針形式の場合のように）。
【００１３】
以上から、以下の結論を演繹することができる。
【００１４】
ＵＥが、ＷＬＡＮアクセスが好ましいことを示している有効なＩＳＭＰがあると判定するとき、ＵＥはＷＬＡＮへ接続して、次いで、このＷＬＡＮ上でＥＰＣへのＰＤＮ接続（取り付け）を確立せねばならない。この場合、ＵＥは、ＷＬＡＮが接続性をＥＰＣへ与えて、局所的サービス、例えば住宅メディア・サーバへのアクセスには、そのようなサービスがＥＰＣへの確立したＰＤＮ接続上でアクセス可能ではないので、使用することができないということを知っている。
【００１５】
ＵＥが、ＷＬＡＮアクセスが特定のＡＰＮへのＰＤＮ接続のために好ましいことを示すＭＡＰＣＯＮのための有効なＩＳＲＰがあることを判定し、かつ、ＵＥが、このＡＰＮへのＰＤＮ接続が必要である（例えばアプリケーション要請に起因して）と判定するとき、ＵＥはＷＬＡＮに接続して、次いで、このＷＬＡＮ上でＥＰＣへのＰＤＮ接続を確立せねばならない。この場合、ＵＥは、ＷＬＡＮが接続性をＥＰＣへ与えて、局所的サービス、例えば住宅メディア・サーバへのアクセスには、そのようなサービスがＥＰＣへの確立したＰＤＮ接続上でアクセス可能ではないので、使用することができないということを知っている。
【００１６】
ＷＬＡＮアクセスが特定のトラヒックのために好ましいことを示しているＩＦＯＭのための有効なＩＳＲＰがあるとＵＥが判定するとき、ＵＥはＷＬＡＮに接続して、次いで、このＷＬＡＮ上でＥＰＣへのＰＤＮ接続を確立せねばならない。この場合、ＵＥは、ＷＬＡＮがＥＰＣへ接続性を与えて、局所サービス、例えば住宅メディア・サーバへのアクセスはＥＰＣへの確立したＰＤＮ接続についてアクセスできないので、ＷＬＡＮはそのようなサービスのために使用することができないことを知っている。
【００１７】
ＵＥが、ＷＬＡＮアクセスが特定のトラヒックのために好ましいことを示しているＮＳＷＯのための有効なＩＳＲＰがあると判定するとき、ＵＥはＷＬＡＮへ接続せねばならないが、このＷＬＡＮ上でＥＰＣへのＰＤＮ接続を確立してはならない。この場合、ＵＥは、ＷＬＡＮがＥＰＣへのアクセスを与えず、局所的サービス、例えば住宅メディア・サーバへのアクセスのために使用できることを知っている。
【００１８】
上述の全ての場合において、ＵＥは、それが接続されているＷＬＡＮにより与えられた接続性の形式を知っており、それに応じてその挙動を調整することができる。例えば、ＵＥは、ＷＬＡＮがＥＰＣ接続性（確立されたＰＤＮ接続を通じて）を与えるとき、ＵＥはデジタル・リビング・ネットワーク・アライアンス（ＤＬＮＡ）サービス又は他の局所的サービスを無効にすることができる。しかしながら、ＵＥがＷＬＡＮネットワークにより与えられる接続性の形式を知らない状況があり、これは幾つかの問題を引き起こしてしまう。
【００１９】
３ＧＰＰ専門調査委員会ＳＡ２は、最近“Ｓ２ａ  Ｍｏｂｉｌｉｔｙ  ｂａｓｅｄ  Ｏｎ  ＧＴＰ＆ＷＬＡＮ  ａｃｃｅｓｓ  ｔｏ  ＥＰＣ”（略してＳａＭＯＧ）と称される新たな作業アイテムに取り込んでおり、これは（ａ）ＥＰＣへの接続性を与える信頼されたアクセス・ネットワークと考えられるＷＬＡＮを有効にし、（ｂ）ＷＬＡＮとＥＰＣとの間で汎用パケット無線サービス（ＧＰＲＳ）トンネリング・プロトコル（ＧＴＰ）接続性を与える。３ＧＰＰの対応する研究の結果は、３ＧＰＰ技術レポートＴＲ  ２３．８５２（Ｖｌ．０．０）に文書化されている。この新たな作業アイテムの状況では、ＷＬＡＮを介する新たな接続性が規定されている（一般に「ＳａＭＯＧ接続性」と称される）。
これは、図１に概略的に図解される。例えば、ＵＥがＮＳＷＯのためのＩＳＲＰが有効になったと判定し、又は、他の実施例に特有のトリガー、例えばユーザーが家に到着して、ＵＥ１０８が常に家庭ＷＬＡＮ（それが利用可能なとき）に接続するように構成されているので、ＵＥ１０８はＷＬＡＮ接続を確立する。ＷＬＡＮアクセス・ネットワーク１０２に接続した後、ＷＬＡＮアクセス・ネットワーク１０２は非シームレス・オフロードのために使用されるように意図されているので（即ち、ＥＰＣ１０４を迂回するため）、ＵＥ１０８はＥＰＣ１０４への何らのＰＤＮ接続を確立しない。従って、ＵＥ１０８は、あたかもＷＬＡＮアクセス・ネットワーク１０２がＥＰＣ  １０４にトラヒックを送らないように、かつ、あたかもＷＬＡＮ  １０２が局所的サービス１１０（例えば住宅ネットワークにおけるサービス）へのアクセス、並びに外部データ・ネットワーク（例えばインターネット１１３）への直接アクセスに与えることができるように作動する。しかしながら、ＷＬＡＮ  １０２が（例えば管理手段により）所謂ＳａＭＯＧ形式の接続性を与えるように構成されているならば、ＷＬＡＮ  １０２はＥＰＣ  １０４への接続性を確立し（例えばＧＴＰ又はプロキシ  モバイル  ＩＰ（ＰＭＩＰ）トンネルを介して）、ＵＥ  １０８からの全てのトラヒックをＥＰＣ  １０４へ進める。これは、ＵＥ  １０８に対して透過的である。
【００２０】
ＷＬＡＮ  １０２がＳａＭＯＧ接続性を与えるように構成されているが、これをＵＥ  １０８が知らないとき（即ち、ＵＥが、あたかもＷＬＡＮ  １０２が非シームレス・オフロードを与えて、ＥＰＣ１０４を迂回するように作動するとき）、“Ｃｏｎｓｉｄｅｒａｔｉｏｎｓ  ｆｏｒ  Ｄｅｐｌｏｙｍｅｎｔｓ  ｗｉｔｈｏｕｔ  ＵＥ  Ｉｍｐａｃｔ”と題された文書Ｓ２―１１５００８に説明されたように、幾つかの問題が生じてしまう。例えば、以下の通りである。
【００２１】
ユーザーが局所的サービス、例えばファイル・サーバ、プリントサーバ、ＤＬＮＡメディア・サーバなどにアクセスするのに慣れている企業内の局所的サービス又は資源及び／又は住宅ＷＬＡＮにユーザーが接続できないことにより、ユーザー経験は影響を受ける。
【００２２】
ユーザーは、均一な請求又は無料の接続性さえ与えるＷＬＡＮ内でデータ・トラフィックが完全に取り扱われるという印象の下に存するが、実際には、データ・トラフィックはＥＰＣを経由して、データ・ボリュームに基づいてより高い率で請求され得る。
【００２３】
インターネット接続性は、ＥＰＣがＧＴＰ／ＰＭＩＰトンネルからインターネットへの到来データを防ぐならば、ＳａＭＯＧのためのデフォルトＡＰＮがインターネット接続を与えない限り、可能ではない。
【００２４】
ＵＥは、ＤＬＮＡに基づくサービスのような局所的サービスを有効にしようと試み（ＵＥのトラヒックの全てがＥＰＣへ経路を定められるので成功はしない）、これは不必要なバッテリの消費をもたらす。
【００２５】
上述の問題に加えて、ＵＥが、ＷＬＡＮがＳａＭＯＧ接続性を与えることを知らないとき、これはＷＬＡＮとＥＰＣとの間のＧＴＰ／ＰＭＩＰトンネルの確立のために要求される必須の接続性パラメータをＷＬＡＮへ与えない。そのような接続性パラメータは、以下を含む。
【００２６】
アクセス・ポイント名（ＡＰＮ）パラメータであって、これは、ＵＥが接続を望むサービス又はパケット・データ・ネットワーク（例えばインターネット、ＩＭＳなど）を示す。
【００２７】
パケット・データ・プロトコル／パケット・データ・ネットワーク（ＰＤＰ／ＰＤＮ）形式パラメータであって、これは、ＵＥにより要求された接続性の形式、例えば、ＩＰｖ４、ＩＰｖ６、又は両方を示すので、ＥＰＣは、如何なるＩＰアドレスがＵＥへ割り当てられたかを知る。
【００２８】
取り付けtypeパラメータであって、これは、ＵＥ取り付けが、標準サービス（「初期取り付け」のための、又は、緊急サービス（「緊急取り付け」）又は、例えばＵＴＲＡＮ又はＷＬＡＮからの既存のＰＤＰ／ＰＤＮ接続上で受け渡す（「受け渡し取り付け」）ための新たなＰＤＰ／ＰＤＮ接続を形成するためのものであるか否かを示す。
【００２９】
したがって、ＵＥにはＷＬＡＮがＳａＭＯＧ接続性を与えるか否かを判定する必要が存在する。
【図面の簡単な説明】
【００３０】
ここで、本開示事項の異なる態様による無線通信デバイス、通信システム、並びに無線通信デバイスと第１のアクセス・ネットワークと間のデータ接続性を確立するための方法について、単なる例示として、添付図面を参照して説明する。
【００３１】
【図１】図１は通信システムのブロック概略図である。
【００３２】
【図２】図２は本開示事項の例示的実施形態による無線通信デバイスのブロック概略図である。
【００３３】
【図３】図３は、本開示事項の実施形態により無線通信デバイスと第１のアクセス・ネットワークとの間でデータ接続性を確立する例示的法を示すフロー図である。
【００３４】
【図４】図４は、本開示事項による第１のアクセス・ネットワークの接続性形式を特定する無線通信デバイスへ情報を与える例示的機構を示す通信システムのブロック概略図である。
【００３５】
【図５】図５は、本開示事項の例示的実施形態により第１のアクセス・ネットワーク上で無線通信デバイスと第２のアクセス・ネットワークとの間の認証のための例示的メッセージ・フローを示す図である。
【００３６】
詳細な説明
本開示事項はＬＴＥ通信システム及び無線通信デバイスとＷＬＡＮアクセス・ネットワークとの間のデータ接続性確立を参照して説明され、そのＷＬＡＮアクセス・ネットワークは、ＬＴＥ通信システム（即ち、次世代パケット・コア（ＥＰＣ））のコア・ネットワークへの接続を確立して、無線通信デバイスからＥＰＣへの全てのデータ・トラヒックをトンネルさせるように構成し得る。しかしながら、本開示事項は、ＷＬＡＮ以外の第１のアクセス・ネットワーク、例えばＷｉＭＡＸ又はブルートゥース・アクセス・ネットワーク又は他のＩＰアクセス・ネットワーク（これは無線通信デバイスからＥＰＣへのトラヒックをトンネルさせるように構成されている）へ適用され得ることに留意されたい。さらに、本開示事項は、ＬＴＥ通信システムのＥＰＣ以外の第２のアクセス・ネットワーク、例えばＧＰＲＳ又はＵＭＴＳ通信システム又は他の３ＧＰＰ２パケット通信システムのパケット切り換え領域、又はＩＳＰ、又は任意の相互作用アクセス・ネットワーク、へ適合し得る。コア・ネットワーク（ＥＰＣ）及びＷＬＡＮアクセス・ネットワークに関して本開示事項を説明することによって、それは本開示事項を如何なる方式であれ限定することを意図するものではない。
【００３７】
本開示事項による無線通信デバイスは、携帯若しくは移動電話、パーソナル・デジタル・アシスタント（ＰＤＡ）、無線ビデオ又はマルチメディア・デバイス、ポータブル・コンピュータ、ネットブック、タブレット・デバイス、埋設通信・プロセッサ又は同様な無線通信デバイスであることがある。以下の説明においては、通信デバイスは一般に、ユーザー機器（ＵＥ）と呼ばれるが、これは本開示事項を何らかの特定の種類の無線通信デバイスに限定することを意図するものではない。
【００３８】
本開示事項による通信システムの例は、図１に示される通信システムである。図１を参照して上述したように、通信システムは、３ＧＰＰコア・ネットワーク（ＥＰＣ  １０４）及びＥＰＣ１０４へ通信的に結合された３ＧＰＰアクセス・ネットワーク１０６（ＬＴＥ通信システムのためのＥ−ＵＴＲＡＮ）を含む３ＧＰＰ通信システム１０１（ＬＴＥ通信システム）と、ＥＰＣ１０４へ（例えば、インターフェースＳＴａ及びＳ２ａを介して）通信的に結合されたＷＬＡＮアクセス・ネットワーク１０２と、ＵＥ１０８とからなる。ここには複数のＵＥがあり、単純化のためにその一つのみが図示されていることに留意されたい。
【００３９】
ＥＰＣ  １０４はアクセス・ネットワーク発見及び選択機能（Ａｃｃｅｓｓ  Ｎｅｔｗｏｒｋ  Ｄｉｓｃｏｖｅｒｙ  ＆  Ｓｅｌｅｃｔｉｏｎ  Ｆｕｎｃｔｉｏｎ）（ＡＮＤＳＦ）１０５のような要素と、図１には図示されていないが、認証、認可及びアカウンティング（ＡＡＡ）サーバ、家庭位置レジスタ／家庭加入者サーバ（Ｈｏｍｅ  Ｌｏｃａｔｉｏｎ  Ｒｅｇｉｓｔｅｒ／Ｈｏｍｅ  Ｓｕｂｓｃｒｉｂｅｒ  Ｓｅｒｖｅｒ）（ＨＬＲ／ＨＳＳ）、少なくとも一つのＰＤＮ―ＧＷ（これらは外部データ・ネットワーク１１２、例えばインターネット、又はＭＭＳサービスを提供するネットワークへの接続性を与える）を含む。ＡＮＤＳＦ要素１０５の機能は、複数のＵＥを支援して非３ＧＰＰアクセス・ネットワーク、例えばＷＬＡＮ又はＷｉＭＡＸを発見し、これは３ＧＰＰアクセス・ネットワークに加えて、データ通信のために使用することができ、複数のＵＥに、これらのネットワークへの接続規制規則を与える。ＬＴＥ通信システムの構造は、当技術分野で周知である。
【００４０】
ＷＬＡＮアクセス・ネットワーク１０２は、３ＧＰＰ通信システム１０１とは異なる管理領域（例えば異なるオペレーターによって管理される）にあることもあれば、ないこともある。
【００４１】
ＷＬＡＮアクセス・ネットワーク１０２は、特定の接続性形式を与えるか若しくは支持するように構成されている。ＷＬＡＮが第２のアクセス・ネットワークへの接続を確立して、ＵＥからの全てのデータ・トラヒックを第２のアクセス・ネットワーク（例えば第２のアクセス・ネットワークのコア・ネットワーク）へトンネルさせるように構成されているとき、ＷＬＡＮアクセス・ネットワークは、第１の接続性形式を支持するように構成されている。図１の構成要素を参照すると、ＷＬＡＮアクセス・ネットワーク１０２がＬＴＥ通信システム１０１のＥＰＣ１０４への接続を確立して、ＵＥ１０８からの全てのデータ・トラヒックをＥＰＣ１０４へトンネルさせるとき、ＷＬＡＮアクセス・ネットワーク１０２は第１の接続性形式がある。序文の説明を参照すると、第１の接続性形式は、「ＳａＭＯＧ接続性」として考えられ得る。ＷＬＡＮが第２のアクセス・ネットワーク（例えばＥＰＣ  １０４）への接続を確立せず、直接のアクセスをサービスに与える、例えば企業又は住宅サービスのような局所サービス１１０への直接アクセス及び／又はインターネット１１３などの外部データ・ネットワークへの直接アクセスを与えるように構成されているとき、ＷＬＡＮアクセス・ネットワークは第２の接続性形式を支持するように構成される。
【００４２】
局所的サービス１１０は、ＷＬＡＮ  １０２を介して、かつ、第２の無線アクセス・ネットワークを使用することなくアクセスされる任意のサービスを含む。ＷＬＡＮアクセス・ネットワーク１０２の位置とＷＬＡＮアクセス・ネットワーク１０２に接続された資源とに依存して、局所的サービス１１０は、住宅メディア・サーバ、ファイル・サーバ、プリント・サーバ、ＤＬＮＡメディア・サーバ、プライベート・ウェブ・サーバ又はインターネットへの接続のためのモデムへのアクセスを含み得る。
【００４３】
ＷＬＡＮアクセス・ネットワークの接続性形式は、特定の加入者（ＵＥ）がＷＬＡＮに取り付けられて、この加入者からの全てのトラヒック・データを第２のアクセス・ネットワークへトンネルさせる（即ち、ＷＬＡＮアクセス・ネットワークを第１の接続性形式を支持するように構成する）ときに、第２のアクセス・ネットワークへの接続性を確立するか、又は第２のアクセス・ネットワークへの接続性、かつ、局所的サービス及び外部データ・ネットワークへの直接アクセスを確立しない（即ち、ＷＬＡＮアクセス・ネットワークを第２の接続性形式を支持するように構成する）かの何れかにＷＬＡＮを構成するＷＬＡＮオペレーターにより判定される。後者の場合は、今日では最も一般的に用いられている。ＷＬＡＮと第２のアクセス・ネットワークが管理上で異なる領域に属しているとき、ＷＬＡＮと第２のアクセス・ネットワークとの間の接続性は２人のオペレーターの間のビジネス協定によって管理される。ＷＬＡＮアクセス・ネットワークの接続性形式は、いつでもＷＬＡＮオペレーターによって変更し得る（例えばＷＬＡＮオペレーターと第２のアクセス・ネットワークのオペレーターとの間にビジネス協定における変更があるとき）。ＷＬＡＮアクセス・ネットワークの接続性形式は、例えばＷＬＡＮアクセス・ネットワークでプロトコル／指針を変更することによって変更し得る。
【００４４】
図２は、本開示事項の例示的実施形態による無線通信デバイス、例えば図１に示されるＵＥ  １０８のブロック図である。当業者には明らかなように、図２はこの中の本開示事項の理解のために必要である例示的なＵＥ  １０８の主要な機能的構成要素のみを示す。
【００４５】
ＵＥ  １０８は、ＵＥ  １０８のための操作上の処理を実行するための処理ユニット２０２から成る。このＵＥ  １０８は、例えば、ＬＴＥ通信システム１０１のＥ−ＵＴＲＡＮ（図示せず）のｅＮｏｄｅＢ（図示せず）又はＷＬＡＮアクセス・ネットワーク１０２のアクセス・ポイント又はノード（図示せず）を有する無線通信リンクを介する無線通信を与えるための通信区画２０４も有する。通信区画２０４は、ＵＥ  １０８のＬＴＥ無線アクセス・インターフェースの部分である要素と、ＵＥ  １０８のＷＬＡＮ無線アクセス・インターフェースの部分である要素とから成ることがある。この通信区画２０４は、代表的には、例えば、少なくとも一つのアンテナ２０８、受信機（図示せず）及び送信機（図示せず）、少なくとも一つの変調／復調区画（図示せず）、及び少なくとも一つの符号化／復号化区画（図示せず）を含み、これは当業者には公知であるので、ここでは更なる説明はしない。通信区画２０４は、ＬＴＥ無線アクセス・インターフェースのための要素の１セット及びＷＬＡＮアクセス・インターフェースのための要素の１セットを含むことがあり、又は、インターフェースは要素を共有することがある。通信区画２０４は、処理ユニット２０２に接続されている。
【００４６】
ＵＥ  １０８は、モバイル機器とＵＥ  １０８のユーザーとの間のインターフェースを与えるためにマン・マシン・インターフェース  ＭＭＩ２１２も有し、これは、キーパッド、マイクロフォン、スピーカー、表示スクリーン（全て図示せず）などの要素を含む。ＭＭＩ  ２１２も処理ユニット２０２へ接続されている。
【００４７】
処理ユニット２０２は、単独のプロセッサである場合もあり、ＵＥ  １０８の操作のために必要とされる全ての処理を実行する二つ以上のプロセッサから成ることもある。プロセッサの個数及び処理ユニットへの処理機能の配分は、当業者の設計選択の問題である。ＵＥ  １０８は、プログラム・メモリ２１４も有し、これには、処理ユニット２０２によるＵＥ  １０８の操作のためのプロセッサ指令を包含するプログラムが記憶されている。このプログラムは、多数の異なるプログラム要素又は様々な異なるタスクのためのプロセッサ指令を包含するサブルーチンを包含することがあり、これは例えば、ＭＭＩ  ２１２を介するユーザーとの通信、ＥＵＴＲＡＮ（図示せず）及びＷＬＡＮアクセス・ネットワーク１０２から受信された信号メッセージ（例えば、ページング信号）の処理、及び近隣のカバレージ領域測定の実行である。プログラム・メモリ２１４に記憶された特定のプログラム要素は、要請されたデータ接続性を確立するために必須の接続性パラメータを与えるための接続性パラメータ要素２１６を含む。接続性パラメータ要素２１６の操作は、以下に更に詳細に説明される。
【００４８】
ＵＥ  １０８は、情報を記憶するためのメモリ２１８を更に含み得る。メモリ２１８は図２には処理ユニット２０２の一部として示されているが、それに代えて、別々である場合もある。
【００４９】
ここで図３を参照すると、本開示事項の例示的実施形態による無線通信デバイス（例えば図１のＵＥ  １０８）と第１のアクセス・ネットワーク（例えば図１のＷＬＡＮアクセス・ネットワーク１０２）との間でデータ接続性を確立するための方法のステップが示されている。この方法は、例示として、図１の通信システム１００及び図２のＵＥ１０８を参照して説明される。本発明は図１を参照して図示及び説明されたネットワークの特定の形式に限定することを意図するものではない。
【００５０】
ステップ３００において、ＵＥ  １０８は、少なくともＷＬＡＮアクセス・ネットワーク１０２に関連した情報を受信する。この情報は、少なくともＷＬＡＮアクセス・ネットワーク１０２の接続性形式を含む。上述に示されるように、ＷＬＡＮアクセス・ネットワーク１０２は第１の接続性形式（例えばＳａＭＯＧ接続性）又は第２の接続性形式を提供するように構成し得る。情報はＵＥ  １０８によって受信されて、メモリ（例えばメモリ２１８）に記憶されて、次いで処理ユニット２０２の制御の下に後続の処理のためメモリから取り出し得る。これに代えて、処理ユニット２０２の制御の下に、情報が受信されて同時に処理し得る。
【００５１】
例示的構成においては、ＵＥ  １０８は、このＵＥ  １０８のために好ましいアクセス・ネットワークに関連した情報を受信する。この情報は、好ましいアクセス・ネットワークの特定及び好ましいアクセス・ネットワークの各々の接続性形式を含む。好ましいアクセス・ネットワークは、ＷＬＡＮアクセス・ネットワーク１０２を含む。好ましいアクセス・ネットワークに関する情報は、
例えば、ＥＰＣ  １０４のＡＮＤＳＦ要素１０５又は他のアクセス・ネットワーク（例えばＵＥ  １０８の家庭ＰＬＭＮ）のＡＮＤＳＦ要素により提供され得る。
【００５２】
代替的な例示的構成においては、ＵＥ  １０８はＷＬＡＮアクセス・ネットワーク１０２に関連した情報を受信することがあり、これは、ＷＬＡＮアクセス・ネットワーク１０２の能力を発見するために開始される発見手順の間、ＷＬＡＮアクセス・ネットワーク１０２の接続性形式を示す。発見の手順は、ＩＥＥＥ  ８０２．ｌｌｕ（ＩＥＥＥ  ８０２．ｌｌｕ：Ａｎ  ａｍｅｎｄｍｅｎｔ  ｔｏ  ｔｈｅ  ＩＥＥＥ８０２．１１−２００７：“Ｐａｒｔ  １１：  Ｗｉｒｅｌｅｓｓ  ＬＡＮ  Ｍｅｄｉｕｍ  Ａｃｃｅｓｓ  Ｃｏｎｔｒｏｌ（ＭＡＣ）ａｎｄ  Ｐｈｙｓｉｃａｌ  Ｌａｙｅｒ  （ＰＨＹ）  Ｓｐｅｃｉｆｉｃａｔｉｏｎｓ”（ＩＥＥＥ８０２．１１−２００７への改訂：「第１１部：無線ＬＡＮ媒体アクセス制御（ＭＡＣ）及び物理層仕様」）、２００７年６月）に規定された発見手順である場合があり、又はＵＥは、ＵＥはＲＦＣ  ４２８４（ＲＦＣ４２８４：Ｉｄｅｎｔｉｔｙ  Ｓｅｌｅｃｔｉｏｎ  Ｈｉｎｔｓ  ｆｏｒ  ｔｈｅ  Ｅｘｔｅｎｓｉｂｌｅ  Ａｕｔｈｅｎｔｉｃａｔｉｏｎ  Ｐｒｏｔｏｃｏｌ（ＥＡＰ）（拡張認証プロトコル（ＥＡＰ）のための識別選択ヒント）、２００６年１月）に規定されたた拡張認証プロトコルＥＡＰ型手順を使用することができる。
【００５３】
他の代替的な例示的構成においては、ＵＥ１０８は、ＷＬＡＮアクセス・ネットワーク１０２に関連した情報を受信することがあり、これは、ＷＬＡＮアクセス・ネットワーク１０２へのアクセスのためにＵＥ  １０８を認証及び認可する認証手続きの間に、ＷＬＡＮアクセス・ネットワーク１０２の接続性形式を示す。例えば、ＷＬＡＮアクセス・ネットワーク１０２の接続性形式は、ＵＥ  １０８の拡張認証プロトコルの間、例えばＥＡＰ−ＡＫＡ又はＥＡＰ−ＳＩＭ認証の間、ＵＥ  １０８に提供し得る。
【００５４】
更に他の代替的なの例示的構成では、ＵＥ  １０８は、少なくともＷＬＡＮアクセス・ネットワーク１０２に関連した情報を受信することがあり、これはＵＥ  １０８の静的構成の間（例えば製造時又はその後、ＵＥが、ＵＥをコンピュータへ接続することにより、又は、ユーザー構成により、更新されるとき）にＷＬＡＮアクセス・ネットワーク１０２の接続性を示す。
【００５５】
ＵＥ  １０８がＷＬＡＮアクセス・ネットワーク１０２の接続性形式を与える例示的構成の更なる詳細は、以下に与えられる。
【００５６】
ステップ３０２において、ＷＬＡＮアクセス・ネットワーク１０２とのデータ接続性を確立する要請は、ＵＥ  １０８において受信される。この要請は、ＵＥ  １０８のユーザーからの要請（例えばＭＭＩ  ２１２によるユーザー入力）であることもあり、又は、ＵＥ  １０８上で実行されるアプリケーションからの要請であることもある。ＵＥ  １０８は（例えば処理ユニット２０２により）、ステップ３０４において、受信した情報において指定された接続性形式に基づくＷＬＡＮアクセス・ネットワーク１０２の接続性形式を判定する。
【００５７】
ＷＬＡＮアクセス・ネットワーク１０２が受信した情報から第１の接続性形式を与えるように構成されたという判定に応じて（ステップ３０５）、ＵＥ  １０８は（例えば処理ユニット２０２により）ＷＬＡＮアクセス・ネットワーク１０２に接続して（ステップ３０６）、ＵＥ  １０８とＥＰＣ  １０４との接続を確立するために用いられる接続性パラメータを与えて、ＵＥ  １０８とＥＰＣ  １０４との間で要請されたデータ接続性を与える。
【００５８】
ＵＥ  １０８は（例えば接続性パラメータ要素２１６の管理の下の処理ユニット２０２により）、ＷＬＡＮアクセス・ネットワーク１０２と第２のアクセス・ネットワーク（例えばＥＰＣ  １０４）との間のデータ接続性を確立するために必要とされる接続性パラメータ若しくはデータを提供又は判定する。必須の接続性パラメータは以下を含み得る。
【００５９】
アクセス・ポイント名（ＡＰＮ）は、ＵＥが接続を望むサービス又はパケット・データ・ネットワークを示す。
【００６０】
パケット・データ・プロコトル又はパケット・データ・ネットワーク（ＰＤＰ／ＰＤＮ）形式は、ＵＥにより要請された接続性の形式、例えば、ＩＰｖ４、ＩＰｖ６、又はその両方を示すので、ＥＰＣは、如何なるＩＰアドレスをＵＥへ割り当てるべきかを知っている。
【００６１】
取り付け形式は、ＵＥ取り付けが、標準サービス（「初期取り付け」のために、又は、緊急サービス（「緊急取り付け」）のために、又は、例えばＵＴＲＡＮからＷＬＡＮへの既存のＰＤＰ／ＰＤＮ接続上の受け渡し（「受け渡し取り付け」）のために、新たなＰＤＰ／ＰＤＮ接続を形成するか否かを示す。
【００６２】
サービスの品質（Ｑｕａｌｉｔｙ  ｏｆ  Ｓｅｒｖｉｃｅ：ＱｏＳ）は、要請されたデータ接続性のためにＵＥのユーザーにより必要とされるか、又は、好まれるサービスのレベルを示す。
【００６３】
他の接続性パラメータがＵＥ  １０８により指定されることもある。例えば、ＵＥ  １０８のユーザー又はＵＥ  １０８上で実行されているアプリケーションがインターネット上でウェブ・ページ又はサービスにアクセスしたいならば、接続性パラメータは、ＡＰＮ、例えばｉｎｔｅｒｎｅｔ．ｏｐｅｒａｔｏｒ．ｃｏｍ（これはインターネット接続を提供するＡＰＮとして、ＵＥ  １１０に予め設定されている）、ＰＤＰ／ＰＤＮ形式、例えばＩＰｖ４ｖ６（ＵＥがＩＰｖ４及びＩＰｖ６アドレス計画を支持するならば）、及び「初期取り付け」のような取り付け形式を含み得る。要請されたサービス／データ・ネットワークのＡＰＮは、ＵＥ  １０８において予め設定し得る。
【００６４】
手短に言うと、ＷＬＡＮアクセス・ネットワーク１０２上でＥＰＣ  １０４へのアクセスのためにＵＥ  １０８を認証及び認可するために、認証手続きは、ＥＰＣ  １０４により開始される（代表的にはＷＬＡＮアクセス・ネットワーク１０２によって開始される）。データ接続性を確立するための要請を受信することに応じて、認証手続きは、ＵＥ  １０８により（例えば処理ユニット２０２により）引き起こされる。認証手続きは、任意の形式のＥＡＰである場合もある。例えば、ＥＡＰ−ＡＫＡ手順を使用し得るが、それに代えて他の計画、例えばＥＡＰ−ＳＩＭを使用し得る。
【００６５】
認証要請メッセージは、認証手続きが開始されるのに応じて、ＵＥ  １０８において受信される。
【００６６】
ＵＥ  １０８は（例えば処理ユニット２０２により）認証要請メッセージに対する応答を送り、この応答は必須の接続性パラメータを含む。
【００６７】
例示的構成においては、この応答は、ＡＴ＿ＣＯＮＮ＿ＩＮＤと称される新たな特質を含むことがあり、これは必須若しくは好ましい接続性パラメータ、例えば好ましいＡＰＮ、ＰＤＰ／ＰＤＮ形式、取り付け形式等を示す。一例として、特質ＡＴ＿ＣＯＮＮ＿ＩＮＤの内容は、表１に示されるものであることがある。
ＡＴ＿ＣＯＮＮ＿ＩＮＤの接続性パラメータ        値
ＰＤＰ／ＰＤＮ形式      ＩＰｖ４又はＩＰｖ６又はＩＰｖ４ｖ６
取り付け形式            「初期取り付け」又は「受け渡し取り付け」
ＡＰＮ                  要請されたＡＰＮの値による文字列
ＱｏＳ                  ＵＥとＰＤＮ−ＧＷの間の輸送チャンネルの必須のＱｏＳ
可能な他の接続性パラメータ    ．．．
表１：ＡＴ＿ＣＯＮＮ＿ＩＮＤの例示的内容
【００６８】
認証手続きが完了した後、次いで、データ接続が必須の接続性パラメータによりＥＰＣ  １０４とＷＬＡＮ  １０２との間で確立される。換言すれば、一旦認証手続きが正常に完了して、ＵＥ  １０８がＷＬＡＮアクセス・ネットワーク１０２を介するＥＰＣ  １０４へのアクセスのために、必須の接続性パラメータにより認証及び認可されたならば、データ接続はＥＰＣ  １０４とＷＬＡＮアクセス・ネットワーク１０２との間で確立される。このデータ接続は、その後、ＵＥ  １０８とＥＰＣ  １０４の間で全てデータ・トラフィックをトンネルさせるためにＷＬＡＮアクセス・ネットワーク１０２により用いられる。
ＵＥ  １０８は、このデータ接続の設立において及び後続のトンネリング手順に関与しないが、好ましい接続性パラメータ（例えばＡＰＮ、ＰＤＰ形式など）をＷＬＡＮアクセス・ネットワーク１０２に提供することによって、ＵＥ  １０８はデータ接続の特性に影響を及ぼすことができる。このように、確立したデータ接続は、ＥＰＣ  １０４に出入りする全てのＵＥ  １０８データ・トラフィックを輸送するのに用いられる。
【００６９】
他の方法は、ＷＬＡＮ  １０２上でＥＰＣ  １０４へ接続（取り付け）するためにＵＥ  １０８により用いられる場合があって、ＷＬＡＮ  １０２とＥＰＣ  １０４との間の接続を確立するのに用いられる接続性パラメータを与えるが、これは本開示事項を何らかの一つの方法に限定されることを意図するものではない。
【００７０】
ＷＬＡＮアクセス・ネットワーク１０２が第１の接続性形式を提供するように構成されるとき、ＷＬＡＮアクセス・ネットワーク１０２へ接続された後、ステップ３０７において、ＵＥ  １０８は更新されて、局所的サービスへの直接アクセスに必要な機能を無効にし（例えば局所的サービスへのアクセスを無効にし）、というのは、これらのサービスが、ＵＥ  １０８により実施されるデータ・トンネリングに起因して利用できないためである。これは、バッテリの消費を低減するのを助ける。ＵＥ  １０８は、これに加えて又はこれに代えて、ユーザーに通知する（例えば処理ユニット２０２の制御の下のＭＭＩ  ２１２を介して）か、或いは、ＥＰＣ  １０４により提供されるか、又は、ＥＰＣ  １０４を介してアクセスできることが知られているサービスを可能にすることがある。
【００７１】
ステップ３０５へ戻ると、ＵＥ  １０８が、ＷＬＡＮアクセス・ネットワーク１０２が受信した情報から第２の接続形式を与えるように構成されていると判定するとき、ＵＥ  １０８は（例えば処理ユニット２０２により）、ＷＬＡＮアクセス・ネットワーク１０２へ接続し、かつ、サービスへの直接アクセス（例えば局所的サービス１１０への直接アクセス及び／又は外部ネットワーク、例えばインターネット１１３への直接アクセス）を与えるＷＬＡＮアクセス・ネットワーク１０２により構成されている（ステップ３０８）。換言すれば、ＵＥ  １０８はＷＬＡＮアクセス・ネットワーク１０２に接続し、かつ、ＵＥ  １０８は、ＷＬＡＮアクセス・ネットワーク１０２がサービスへの直接アクセスを与えるように（及び第２のアクセス・ネットワークを介さずに）構成されていることを知るように構成されている。ＵＥ  １０８は、当技術分野で周知の手順を用いてＷＬＡＮアクセス・ネットワーク１０２に接続し得る。更に、ＵＥ  １０８は、ＷＬＡＮアクセス・ネットワーク１０２とＥＰＣ  １０４との間の接続を確立するのに用いられる任意の接続性パラメータを提供する必要はなく、というのは、ＷＬＡＮアクセス・ネットワーク１０２とＥＰＣ  １０４との間で確立されたデータ接続は存在しないからである。
【００７２】
上述したように、ＵＥ  １０８は、ＷＬＡＮが第１の接続性形式（例えばＳａＭＯＧ接続性）を提供するように構成されているか、又は、代替的な例示的解決策を用いていないか否かを知らされることがある。一つのこのような解決策は、特定のＷＬＡＮがいつ第１の接続性形式（例えばＳａＭＯＧ接続性）を提供するように構成されたかを認識するＵＥに、拡張したＩＳＭＰ及びＩＳＲＰ指針を提供するＡＮＤＳＦ要素に基づいている。これは層（Ｌａｙｅｒ）−３解決策と称されており、というのは、これはアクセス（層−２）技術から独立しており、ＩＰレベルで支持されているためである。換言すれば、特定のＷＬＡＮの接続性形式は、任意の形式のアクセス・ネットワーク（３ＧＰＰアクセス、３ＧＰＰ２アクセス、ＷｉＭＡＸ、ＷＬＡＮ、その他を含む）上のＡＮＤＳＦ要素によりＵＥ  １０８へ通信することができる。ＡＮＤＳＦ要素はＥＰＣ  １０４のＡＮＤＳＦ要素１０５又は他のアクセス・ネットワーク（例えばＵＥ  １０８の家庭ＰＬＭＮ）のＡＮＤＳＦ要素である場合がある。代替的な解決策はＩＥＥＥ  ８０２．ｌｌｕ及びＲＦＣ  ４２８４に対する拡張を提案して、それがアクセス・ネットワークによって提供されるので、層−２解決策と称されている。他の解決策は、ＵＥ  １０８の認証の間、ＵＥ  １０８へ提供された情報に基づく。ＵＥ  １０８が、ＷＬＡＮアクセス・ネットワーク１０２がＳａＭＯＧ接続性を支持できる（何れかの解決策を介して）ことを判定するならば、次いで、ＵＥ  １０８はＷＬＡＮアクセス・ネットワーク１０２に接続して、上述のように接続性パラメータを提供する。
【００７３】
上述のように、ＡＮＤＳＦ要素（例えばＡＮＤＳＦ要素１０５）は、アクセス及びルーティング選択指針（例えばＩＳＭＰ及びＩＳＲＰ）をＯＭＡ  デバイス管理（ＤＭ）対象におけるＵＥ１０８へ与える。アクセス及びルーティング選択指針は、ＵＥ  １０８のための好ましいアクセス・ネットワークを示す。本開示事項による層−３解決策（ＡＮＤＳＦに基づく）は、ＯＭＡ  デバイス管理（ＤＭ）対象におけるＵＥ１０８へ与えられた情報を拡張し、また、ＷＬＡＮアクセス・ネットワークのために、ＷＬＡＮアクセス・ネットワークが第１の接続性形式（例えばＥＰＣ  １０４へのＳａＭＯＧ接続性）を支持するか否かを示す情報を含む。例えば、特有のＳＳＩＤにより、又は、特有のアドレス体系（例えばｗｌａｎ１．ｏｐｅｒａｔｏｒ．ｃｏｍ）により特定されたＷＬＡＮアクセス・ネットワークの各々について、ＵＥ  １０８へ提供された情報は、ＳａＭＯＧ接続性が支持されているか否かを含む。
【００７４】
ＵＥ  １０８が、ＷＬＡＮアクセス・ネットワーク１０２がＳａＭＯＧ接続性を支持し、かつ、ＵＥ  １０８が、このＷＬＡＮの選択を引き起こす（例えば有効なＩＳＭＰ又はＩＳＲＰ指針において与えられた情報に基づいて、又は、他の実施例の特定のトリガー、例えば実施に基づく指針のため）ならば、ＵＥ  １０８は、ＷＬＡＮアクセス・ネットワーク１０２に、ＥＰＣ  １０４へ向かうＧＴＰ／ＰＭＩＰトンネルを確立することを要求する必要な接続性パラメータ（例えばＡＰＮ、ＰＤＮ形式など）を与える。
【００７５】
この解決策によりＵＥへ送られる情報は各々のＵＥについて指定することができるので、この解決策は、同じＷＬＡＮアクセス・ネットワーク１０２が第１の接続性形式（例えばＳａＭＯＧ接続性）を幾つかのＵＥ及び第２の接続性形式（例えば非シームレス・オフロード接続性（即ちＥＰＣ１０４を迂回する直接接続性））を他のＵＥに提供する計画を支持することができる。異なる複数のＵＥのためにＷＬＡＮの異なる接続性形式を選択することを可能にすることは、増大した柔軟性を携帯電話事業者に提供する。例えば、携帯電話事業者は、異なる加入パラメータに基づく異なるユーザーに対して、異なるＷＬＡＮ接続性形式を構成し得る。
【００７６】
現在では、ＵＥはＩＥＥＥ  ８０２．ｌｌｕ（現在はＩＥＥＥ  ８０２．１１−２００７の一部）に規定された手順を用いて、ＷＬＡＮの能力を発見することができる。ＩＥＥＥ  ８０２．ｌｌｕが支持されないとき、ＵＥは、ＲＦＣ  ４２８４に規定されたＥＡＰベースの手順を用いて、何れのネットワーク（アドレス体系）がＷＬＡＮと相互に作用することができるかを発見することができる。
【００７７】
本開示事項に従う層−２解決策は、ＩＥＥＥ  ８０２．ｌｌｕ及びＲＦＣ  ４２８４により与えられた発見機能を越えて、ＷＬＡＮアクセス・ネットワーク１０２が特定のアクセス・ネットワークへ向かう第１の接続性形式（例えばＳａＭＯＧ接続性）を支持するのでかを、ＵＥ  １０８が発見することができる。特定のアクセス・ネットワークは、ＷＬＡＮアクセス・ネットワーク１０２が接続し得る幾つかのアクセス・ネットワーク（相互作用ネットワークとしても知られている）の一つである場合がある。相互作用手段とはＷＬＡＮアクセス・ネットワーク１０２及び第２のアクセス・ネットワーク（相互作用ネットワーク）は「ローミング合意」の設定を有し、これは第２のアクセス・ネットワークの加入者をＷＬＡＮアクセス・ネットワークへ接続させて使用させることを可能にするという意味である。
【００７８】
当該技術分野で知られているように、上述の発見手順を用いて、ＵＥ  １０８は、ＷＬＡＮアクセス・ネットワークに相互作用する全ての第２のアクセス・ネットワークに関する情報を発見する。層−２解決策によると、ＵＥ１０８により受信された発見情報が拡張されて、新たな第１の接続性支持指標（例えば「ＳａＭＯＧ接続性支持」指標）は、あらゆる発見された第２のアクセス・ネットワークに関係している情報に加えられる。従って、この新たな「ＳａＭ  ＯＧ接続性支持」指標によって、ＵＥ  １０８は、ＷＬＡＮアクセス・ネットワーク１０２が、このＷＬＡＮアクセス・ネットワーク１０２と相互作用する特定の第２のアクセス・ネットワークに「ＳａＭＯＧ接続性」を確立するように構成されているか否かを判定することができる。ＷＬＡＮアクセス・ネットワーク１０２は一つ以上の第２の（相互作用）ネットワークに接続することができ、次いで複数の指標がＵＥ  １０８へ与えられる。
【００７９】
ここで図４も参照すると、これは、ＵＥ  １０８がアクセス・ネットワーク・クエリー・プロトコル（ＡＮＱＰ）手順を用いて、ＷＬＡＮ・アクセス・ネットワーク１０２能力を発見し、また、「ＳａＭＯＧ接続性支持」指標に基づいてＷＬＡＮアクセス・ネットワーク１０２が相互作用ネットワーク１１１（即ち第２アクセス・ネットワーク）への強制的なトンネルを形成するように構成されているか否かを判定する。それに代えて他の発見プロトコルをＵＥにより用いられる場合がある。相互作用ネットワーク１１１は、３ＧＰＰネットワーク（例えば図１におけるようなネットワーク１０１）、ＷＬＡＮブローカー（即ち異なるＷＬＡＮオペレーターの間のＷＬＡＮローミングを支持するネットワーク）又はＩＳＰとし得る。図１の同様な構成要素は同じ参照番号によって参照される。ＵＥ  １０８が、ＷＬＡＮ１０２が相互作用ネットワーク１１１への強制的なトンネルを形成する「ＳａＭＯＧ接続性支持」指標から判定されるならば、次いでＵＥ  １０８は、それに応じてその挙動を調整することができ、例えばユーザーに通知して、局所サービス（例えばＤＬＮＡサービス）への直接アクセスを無効にし、相互作用ネットワークにより与えられたサービス有効にする。
【００８０】
「ＳａＭＯＧ接続性支持」指標は既存のＩＥＥＥ  ８０２．ｌｌｕ情報要素（例えばＮＡＩレルム・リスト又は３ＧＰＰセルラー・ネットワーク情報）に含めることができるか、又は、それはＵＥ  １０８へ送られるベンダー特有情報要素に含めることができる。図４に示される例において、ＷＬＡＮアクセス・ネットワーク１０２に関連する情報は、ＷＬＡＮアクセス・ネットワーク１０２の相互作用ネットワークと、ＷＬＡＮアクセス・ネットワーク１０２の相互作用ネットワークの各々についての「ＳａＭＯＧ接続性指示」指標とのリストを含み、ＷＬＡＮアクセス・ネットワーク１０２に通心的に接続されたサーバ１０９（例えば広告サーバ）に記憶される。相互ネットワーク及び関連した「ＳａＭＯＧ接続性支持」指標のリストは、ＡＮＱＰ又はＭＩＨ−ＩＳプロトコルによりＷＬＡＮアクセス・ネットワーク１０２を介してサーバ１０９からＵＥ  １０８へ送られることがあり、かもしれなくて、包括的公告サーバ（Ｇｅｎｅｒｉｃ  Ａｄｖｅｒｔｉｓｅｍｅｎｔ  Ｓｅｒｖｉｃｅ（ＧＡＳ））フレームで輸送されることがある。
【００８１】
ＵＥ  １０８が、ＷＬＡＮアクセス・ネットワーク１０２の相互作用能力を発見するためにＲＦＣ  ４２８４を用いるとき、ＵＥ  １０８は、ＷＬＡＮアクセス・ネットワーク１０２のアクセス・ノード（例えばアクセス・ポイント（ＡＰ）１０７）により送信されたＥＡＰ特定要請（ＥＡＰ−Ｉｄｅｎｔｉｔｙ  Ｒｅｑｕｅｓｔ）メッセージにおけるＷＬＡＮアクセス・ネットワーク１０２についての相互作用ネットワークのリストを受信する。本開示事項によれば、このリストは、各々の相互作用ネットワークについて、ＷＬＡＮアクセス・ネットワーク１０２がその相互作用ネットワークについての第１の接続性形式を支持することができるか否かを示す第１の接続性形式指標（例えば「ＳａＭＯＧ接続性支持」指標）を含むように拡張される。
【００８２】
層−２解決策の一つの欠点は、「ＳａＭＯＧ接続性支持」指標が特定の相互作用ネットワークのための全ての複数のＵＥについて同じでなければならないことである。ＷＬＡＮは、全ての複数のＵＥについて又は何れについてでもないかの何れかについてＳａＭＯＧ接続性を特定の相互作用ネットワークへ与えるように構成されねばならない。
【００８３】
本開示事項による他の解決策は、ＵＥ  １０８の認証の間にＵＥ  １０８へ与えられる情報に基づいている。この情報は、ＥＡＰ認証（例えばＥＡＰ−ＡＫＡ認証）の間、ＥＰＣ  １０４のＡＡＡサーバからＵＥ  １０８へ送られることがある。この情報は、ＵＥ  １０８が接続しようとするＷＬＡＮ  １０２によって支持される接続性形式を示す。
【００８４】
ＥＡＰ−ＡＫＡ認証解決策によるＵＥ  １０８の操作のより詳細については、ここで本開示事項の実施形態により、ＩＰアクセス・ネットワーク（例えば図１のＷＬＡＮアクセス・ネットワーク１０２）上のＵＥ（例えば図１のＵＥ  １０８）とコア・ネットワーク（例えば図１のＥＰＣ  １０４）との間のＥＡＰ−ＡＫＡ認証手順のための例示的メッセージ・フローを示す図５を参照して説明する。図５は、適用可能なＩＥＴＦ規格及び３ＧＰＰ仕様に従うＥＡＰ−ＡＫＡ認証方法を示す。即ち、ＲＦＣ４１８７：第３世代認証及びキー合意（ＥＡＰ―ＡＫＡ）、２００６年１月のための拡張認証プロトコル方法；ＲＦＣ５４４８：第３世代認証及びキー合意（ＥＡＰ−ＡＫＡ’）、２００９年５月のための改善された拡張認証プロトコル方法；及び３ＧＰＰ  ＴＳ  ２４．３０２（ｖｌ０．４．０）、非３ＧＰＰアクセス・ネットワークを介する３ＧＰＰ  次世代パケット・コア（ＥＰＣ）へのアクセス；ステージ３（リリース１０）、２０１１年６月。例示的な構成においては、ＵＥ  １０８が、家庭３ＧＰＰオペレーターによって信頼されていると考えられるＷＬＡＮアクセス・ネットワーク１０２上でＥＰＣ  １０４にアクセスしようとするとき、ＥＡＰ−ＡＫＡ認証が生じる。
【００８５】
図５に示すように、ステップ５００におけるＡＡＡサーバにより送られた第１のＡＫＡチャレンジは、ＡＴ＿ＴＲＵＳＴ＿ＩＮＤ特性を含み、これは、ＵＥ  １０８に、ＷＬＡＮ  １０２が信頼された又は非信頼アクセス・ネットワークとして考えられるか否かを通知する（この特性をコード化することはＴＳ  ２４．３０２、条項８．２．３．１に指定されている）。このＡＡＡサーバにより送られたＡＫＡチャレンジは、上述のように開始された認証手順に応じてＵＥ  １０８へ送られる認証要請メッセージに対応する。応答メッセージ（ＥＡＰ応答／ＡＫＡチャレンジ）、ステップ５０２において、ＵＥ  １０８は、ＵＥの移動性管理能力を示すＡＴ＿ＩＰＭＳ＿ＩＮＤ特性を含み得る（ＴＳ  ２４．３０２の表８．２．１．１を参照）。
【００８６】
これはネットワークに、如何なる形式の移動性管理機構が、信頼されたＷＬＡＮアクセス上で移動性管理を支持するのに用いることができるかを知らせることを可能にする。ＡＴ＿ＩＰＭＳ＿ＲＥＳ特性（ステップ５０４で送られた）は、ＵＥ  １０８にＡＡＡサーバ、例えばホスト型移動性（ＤＳＭＩＰｖ６又はＭＩＰｖ４）又はネットワーク型移動性（ＮＢＭ）により選択された移動性管理プロトコルを示す。図５の認証手順の終了の後に、ＵＥ  １０８は、ＡＴ＿ＩＰＭＳ＿ＲＥＳ特性において示された移動性プロトコルに従って、又は、ＡＴ＿ＩＰＭＳ＿ＲＥＳ特性がコア・ネットワークから受信されないならば、ＵＥにおいて予め構成されたデータに従って、挙動する。例えば、移動性プロトコルがＤＳＭＩＰｖ６であるならば、ＵＥ  １０８はＰＤＮ−ＧＷ（又は家庭エージェント）を選択する必要があり、選択されたＰＤＮ−ＧＷに関連したセキュリティを確立して、ＤＳＭＩＰｖ６プロトコルにより拘束的な登録を実行する。この場合、ＵＥは一つ以上のＤＳＭＩＰｖ６メッセージに必要な接続性パラメータを含むことができる。全てのこれらの手順は３ＧＰＰ  ＴＳ  ２４．３０３（ｖｌ０．３．０）に規定されており、移動性管理はデュアル−スタック・モバイルＩＰｖ６に基づく；ステージ３（リリース１０）。一方、ＡＴ＿ＩＰＭＳ＿ＲＥＳ特性の移動性プロトコルがＮＢＭであるならば、全ての移動性がネットワーク型手順（即ちＧＴＰを有する）によって許可されるので、ＵＥ  １０８は如何なる移動性管理プロトコルも使う必要はない。
【００８７】
上述のように、ＵＥ  １０８はステップ５０２における応答送信において新たな特性を含むことがあり、これは必須又は好ましい接続性パラメータ、例えば好ましいＡＰＮ、ＰＤＰ／ＰＤＮ形式、取り付け形式、その他を示す。例えば、新たな特性ＡＴ＿ＣＯＮＮ＿ＩＮＤの内容は、上述の表１に示したようなものであることもある。
【００８８】
一つの例として及び図５を参照して、接続性形式は、ＡＴ＿ＣＯＮＮ＿ＴＹＰＥと称される新たなＥＡＰ−ＡＫＡ特性をＡＡＡサーバからＵＥ  １０８へ送ることがある。換言すれば、特性ＡＴ＿ＣＯＮＮ＿ＴＹＰＥは、ＵＥが接続を試みるＷＬＡＮアクセス・ネットワーク１０２が、第１の接続性形式（例えばＳａＭＯＧ接続性）又は第２の接続性形式を支持するように構成されているか否かを示す。このＡＴ＿ＣＯＮＮ＿ＴＹＰＥ特性は、第１のＡＫＡチャレンジ・メッセージ（ステップ５００）又はＡＫＡ通知メッセージ（ステップ５０４）に含まれることがあり、ＡＡＡサーバによりＵＥ  １０８へ送られる。これに代えて、接続形式は、既存のＥＡＰ−ＡＫＡ特性に含まれることがあり、これは、ＷＬＡＮアクセス・ネットワーク１０２の接続性形式を示す情報ももたらすために適宜に拡張される。例えば、ステップ５０４におけるＡＡＡサーバにより送られる既存のＡＴ＿ＩＰＭＳ＿ＲＥＳ特性は、接続性形式を示す情報を含むように拡張し得る。
【００８９】
ＵＥが、信頼されたＷＬＡＮアクセス・ネットワーク上で更なるＰＤＰ／ＰＤＮ接続を望む場合において、これは新たな接続性データでＥＡＰ再認証を誘発することができる。それで、複数のＰＤＰ／ＰＤＮ接続は支持することができる。また、ＰＤＰ／ＰＤＮ接続の３ＧＰＰアクセスからＳ２ａを有する信頼されたＷＬＡＮへの譲る渡しは、「譲り渡し取り付け」のＰＤＰ／ＰＤＮ形式を要請することによって更に支持することができる。この場合、ＰＤＮ−ＧＷは、ＷＬＡＮアクセス・ネットワークとＰＤＮ−ＧＷとの間で（Ｓ２ａ上に）形成されたＰＤＰ／ＰＤＮ接続への３ＧＰＰアクセス上での既存のＰＤＰ／ＰＤＮ接続において交換された全てのデータを転送する。
【００９０】
要約すると、本開示事項は第１のアクセス・ネットワークにより支持された接続性形式について情報をＵＥへ与える機構を説明し、第１のアクセス・ネットワークの示された接続性形式に依存して、無線通信デバイスはそれに応じて挙動することができる。例えば、第１のアクセス・ネットワークが第１の接続性形式を支持して、ＵＥから第２のアクセス・ネットワーク（例えば、ＳａＭＯＧ接続性を支持する）へ全てのデータ・トラフィックをトンネルさせるように構成されているとき、ＵＥは第１のアクセス・ネットワークと第２のアクセス・ネットワークとの間の接続を設定するために要求される接続性パラメータを与えることができ、かつ、ＵＥも局所的サービスへの直接アクセスを無効にすることもあり、バッテリの消費を節約して、ユーザー経験を改善する。ＵＥが接続性パラメータを与えることにより、ＵＥは好ましい／必須の接続性パラメータを与え、第１と第２とのアクセス・ネットワークの間のデータ接続性は、ＵＥ又はユーザー嗜好に従って確立することができる。第１のアクセス・ネットワークが第２の接続性形式を支持して、第２のアクセス・ネットワークを介する接続の無い直接アクセスを与えるように構成されているとき、次いで、ＵＥは通常の方式で第１のアクセス・ネットワークへ接続し得る。ＵＥはユーザーに第１のアクセス・ネットワークの接続性形式の通知もすることがあり、ユーザーはそれに応じて行動し得る。例えば、第１のアクセス・ネットワークが第１の接続性形式を支持するとき、ユーザーは今や、局所的サービスへの直接アクセスが如何なる否定的なユーザー経験も避けることが可能ではないことに気づく。更に、第１の接続性形式を支持することが決定されるとき、ユーザーは第１のアクセス・ネットワークから切断することを決定し得る。
【００９１】
携帯電話事業者は、ＷＬＡＮプロバイダーとしばしば取引関係を形成／終了させることができ、これは、いつでも有効又は無効にされるＳａＭＯＧ接続性を有する既存のＷＬＡＮの構成の変化をもたらすか、及び／又は携帯電話事業者により支持される新たな複数のＷＬＡＮをもたらすことがあり、その各々の一つは、ＳａＭＯＧ接続性の有無に関わらず構成される。第１のアクセス・ネットワークの接続性形式を特定する情報は、本開示事項による機構によりＵＥへ与えられ、これは、アクセス・ネットワークの接続性形式における変化を可能にし、又は新たなアクセス・ネットワークが加えられたとき、容易さを説明する。例えば、アクセス・ネットワークの好ましいリストは、変化を説明するためにＡＮＤＳＦ  １０５において容易に更新することができ、更新されたリストは、例えばＯＭＡ  ＤＭプッシュ手順を呼び出すことによって、ＵＥへ定期的に与えられる。アクセス・ネットワークへの接続性形式の如何なる変更もそのアクセス・ネットワークのための発見手順の間に与えられる情報に含められる。同様に、アクセス・ネットワークへの接続性形式の如何なる変更も、第１のアクセス・ネットワークのためのＵＥについての認証及び認可手続きの間に与えられる情報に含められる。
【００９２】
上述の明細書において、本発明は本発明の実施形態の特定の例を参照して説明した。しかしながら、様々な修正及び変更が、添付の特許請求の範囲に記載された本発明の広い目的から逸脱することなく、なし得ることが明白であろう。
【００９３】
上述の実施形態の幾つかは、適用可能なように、様々な異なる処理システムを使用して実行し得る。例えば、図及びその説明は、単に本開示事項の様々な態様を説明するのに有益な参照を与えるように提示された例示的なアーキテクチャを説明する。勿論、アーキテクチャの説明は、説明の目的のために単純化されており、かつ、本開示事項により使用し得る多くの異なる種類の適切なアーキテクチャの単に一つである。当業者は、プログラムとシステム／デバイス要素との間の境界は単なる例示であって、代替的な実施形態を要素に合併し得るか、様々な要素に機能の代替的な分解を課し得ることを理解するであろう。
【図１】
0006385337.tif 000002
【図２】
0006385337.tif 000003
【図３】
0006385337.tif 000004
【図４】
0006385337.tif 000005
【図５】
0006385337.tif 000006